(57)【要約】【課題】コネクタハウジングに対して電線カバーを円滑に組み付けることが可能なコネクタを提供すること。【解決手段】コネクタハウジング１０には、電線引出部１６の周囲に、外方へ突出する係止リブ１０１が形成され、電線カバー８０は、コネクタハウジング１０への組み付け側の縁部が、電線引出部１６の周囲を囲う組付け部８５とされ、組付け部８５は、内側へ突出して係止リブ１０１を係止する係止突起９３と、係止突起９３よりもコネクタハウジング１０への装着方向へ向かって突出されるとともにコネクタハウジング１０への装着方向へ向かって次第に外側へ傾斜する摺動面９８が形成された拾い部９７と、を備え、コネクタハウジング１０へ電線カバー８０を組み付ける際に、拾い部９７の摺動面９８が電線引出部１６に当接することで、組付け部８５が外側へ変位される。【選択図】図７
2016225045.tif 000002
【特許請求の範囲】
【請求項１】
電線に接続された端子が収容される端子収容部を有するハウジングと、
前記ハウジングの前記電線が引き出される電線引出部に組み付けられて前記電線を覆う電線カバーと、
を備えたコネクタであって、
前記ハウジングには、前記電線引出部の周囲に、外方へ突出する係止リブが形成され、
前記電線カバーは、前記ハウジングへの組み付け側の縁部が、前記電線引出部の周囲を囲う組付け部とされ、
前記組付け部は、内側へ突出して前記係止リブを係止する係止突起と、前記係止突起よりも前記ハウジングへの装着方向へ向かって突出されるとともに前記ハウジングへの装着方向へ向かって次第に外側へ傾斜する摺動面が形成された拾い部と、を備え、
前記ハウジングへ前記電線カバーを組み付ける際に、前記拾い部の前記摺動面が前記電線引出部に当接することで、前記組付け部が外側へ変位される
ことを特徴とするコネクタ。
【請求項２】
前記電線カバーには、前記ハウジングへの組み付け側の縁部を含む一部に、前記電線を導出させる電線誘導部が形成され、
前記拾い部は、前記電線誘導部側の端部に設けられている
ことを特徴とする請求項１に記載のコネクタ。
【請求項３】
前記電線カバーは、前記ハウジングに対して前記電線誘導部と反対側にずれた状態で前記ハウジングへ近接され、前記係止突起が前記係止リブよりも装着方向前方側に配置された状態から前記ハウジングに対して前記電線誘導部側へスライドされることで、前記係止突起が前記係止リブを係止する位置に配置される
ことを特徴とする請求項２に記載のコネクタ。
【発明の詳細な説明】
【技術分野】
【０００１】
本発明は、電線カバーを備えたコネクタに関する。
【背景技術】
【０００２】
コネクタハウジングの後部の電線引出部に樹脂製の電線カバーが装着され、この電線カバーによって、電線引出部から引き出された電線の束を電線カバーで保護するとともに、電線の束を電線カバーで所定の方向へ誘導するコネクタが知られている（例えば、特許文献１参照）。
【先行技術文献】
【特許文献】
【０００３】
【特許文献１】特開２０１１−９０８８１号公報
【発明の概要】
【発明が解決しようとする課題】
【０００４】
樹脂製の電線カバーは、成形時に歪みが生じることがある。このように、電線カバーに歪みが生じていると、コネクタハウジングへの組み付け箇所の寸法精度が低下し、コネクタハウジングへの組み付け作業性が低下するおそれがある。
【０００５】
本発明は、上述した事情に鑑みてなされたものであり、その目的は、コネクタハウジングに対して電線カバーを円滑に組み付けることが可能なコネクタを提供することにある。
【課題を解決するための手段】
【０００６】
本発明に係る上記目的は、下記構成により達成される。
（１）  電線に接続された端子が収容される端子収容部を有するハウジングと、
前記ハウジングの前記電線が引き出される電線引出部に組み付けられて前記電線を覆う電線カバーと、
を備えたコネクタであって、
前記ハウジングには、前記電線引出部の周囲に、外方へ突出する係止リブが形成され、
前記電線カバーは、前記ハウジングへの組み付け側の縁部が、前記電線引出部の周囲を囲う組付け部とされ、
前記組付け部は、内側へ突出して前記係止リブを係止する係止突起と、前記係止突起よりも前記ハウジングへの装着方向へ向かって突出されるとともに前記ハウジングへの装着方向へ向かって次第に外側へ傾斜する摺動面が形成された拾い部と、を備え、
前記ハウジングへ前記電線カバーを組み付ける際に、前記拾い部の前記摺動面が前記電線引出部に当接することで、前記組付け部が外側へ変位される
ことを特徴とするコネクタ。
【０００７】
（２）  前記電線カバーには、前記ハウジングへの組み付け側の縁部を含む一部に、前記電線を導出させる電線誘導部が形成され、
前記拾い部は、前記電線誘導部側の端部に設けられている
ことを特徴とする上記（１）に記載のコネクタ。
【０００８】
（３）  前記電線カバーは、前記ハウジングに対して前記電線誘導部と反対側にずれた状態で前記ハウジングへ近接され、前記係止突起が前記係止リブよりも装着方向前方側に配置された状態から前記ハウジングに対して前記電線誘導部側へスライドされることで、前記係止突起が前記係止リブを係止する位置に配置される
ことを特徴とする上記（２）に記載のコネクタ。
【０００９】
上記（１）の構成のコネクタでは、ハウジングへ電線カバーを組み付ける際に、係止突起よりもハウジングへの装着方向へ向かって突出された拾い部の摺動面がハウジングの電線引出部に当接することで、組付け部が外側へ変位される。したがって、電線カバーに歪みが生じていたとしても、係止突起がハウジングに突き当たることで組み付けが困難となるようなことがなく、ハウジングに対して電線カバーを円滑に装着させることができる。これにより、電線カバーの組み付け作業性を向上させることができる。
【００１０】
上記（２）の構成のコネクタでは、特に成形時の歪みの影響が生じやすい電線誘導部側の端部に拾い部を設けたので、ハウジングに対して電線カバーを装着させる際に、拾い部によって効果的に電線カバーの歪みを矯正させることができる。
【００１１】
上記（３）の構成のコネクタでは、拾い部によって電線カバーの歪みが矯正されるので、電線カバーをスライドさせて係止突起を係止リブに係止させる際の電線の噛み込みを抑制することができる。したがって、電線カバーを組み付ける際の電線の噛み込みに対する作業者の注意にかかる負担を低減させることができる。
【発明の効果】
【００１２】
本発明によれば、コネクタハウジングに対して電線カバーを円滑に組み付けることが可能なコネクタを提供できる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】図１は、本発明の実施形態に係るコネクタの分解斜視図である。
【図２】図２は、コネクタハウジング及び電線カバーの斜視図である。
【図３】図３は、電線カバーを説明する図であって、図３（ａ）は、電線カバーの電線誘導部側から視た正面図、図３（ｂ）は、図３（ａ）におけるＡ−Ａ断面図である。
【図４】図４は、図３（ａ）におけるＢ部拡大図である。
【図５】図５は、コネクタハウジングの電線引出部の一部の拡大側面図である。
【図６】図６は、電線カバーのコネクタハウジングへの組み付けについて説明する組み付け箇所の側面図である。
【図７】図７は、歪みが生じた電線カバーのコネクタハウジングへの組み付けについて説明する組み付け箇所の側面図である。
【発明を実施するための形態】
【００１５】
以下、本発明に係る実施の形態の例を、図面を参照して説明する。
図１は、本発明の実施形態に係るコネクタの分解斜視図である。
【００１６】
図１に示すように、本実施形態に係るコネクタ１は、後方から複数の端子（図示略）が収容される合成樹脂製のコネクタハウジング（ハウジング）１０と、コネクタハウジング１０の後部に嵌め込まれるゴム製または柔軟樹脂製のマットシール２０と、コネクタハウジング１０の後部に嵌合固定されることで、マットシール２０を後側から押圧しつつ脱落防止する合成樹脂製のマットシールカバー３０と、コネクタハウジング１０の外側に回動可能に装着された合成樹脂製のレバー５０と、コネクタハウジング１０の内部に前方から挿入されるパッキン６０と、コネクタハウジング１０の前部に装着されるフロントホルダ７０と、マットシールカバー３０の後側に装着される電線カバー８０と、を具備している。コネクタ１は、コネクタハウジング１０の後部に装着されたマットシール２０によって電線とコネクタハウジング１０との間がシールされる防水コネクタである。
【００１７】
コネクタハウジング１０は、それぞれ端子を収容する複数の端子収容部１５を有した内周側のインナーハウジング１１と、その外周側のアウターハウジング１２と、インナーハウジング１１及びアウターハウジング１２の後側に配置された、マットシール２０を嵌め込むための筒壁部１４と、を備えている。アウターハウジング１２は、図示しない相手側コネクタのコネクタハウジングの嵌合筒壁の外周に嵌合する部分である。インナーハウジング１１は、相手側コネクタのコネクタハウジングの嵌合筒壁の内周に嵌合する部分である。
【００１８】
マットシール２０は、マット本体２１の外周に、マット本体２１がコネクタハウジング１０の後部の筒壁部１４の内周に嵌め込まれた際に、筒壁部１４との隙間をシールするリップ部２２を有している。マット本体２１のコネクタハウジング１０の各端子収容部１５に対応する位置には、それぞれ端子挿入孔２５が貫通形成されている。このマットシール２０は、コネクタハウジング１０の後部の筒壁部１４の内周に嵌め込まれた状態で、端子挿入孔２５を通して端子収容部１５に端子がそれぞれ挿入された際に、各端子挿入孔２５の内周が、各端子から後方へ延びる電線の外周にそれぞれ密着することで、各電線とコネクタハウジング１０との間を一括シールする。
【００１９】
マットシールカバー３０は、マットシール２０の後側に配置されて、コネクタハウジング１０のロック部１８に自身のロック部３８が係合されることで、マットシール２０を抜け止めすると共にマットシール２０に十分なシール性発揮のための押圧力を付与する機能を果たす。ゴムまたは合成樹脂の成形品よりなるマットシールカバー３０のカバー本体３１には、マットシール２０の各端子挿入孔２５に対応する位置に、端子を挿入すると共に電線を後方へ引き出すための貫通孔３２が設けられている。
【００２０】
レバー５０は、一対の側板部５１と、これらの側板部５１の一端側を連結する把持部５２とを有している。側板部５１には、回動孔５３が形成されており、この回動孔５３には、コネクタハウジング１０に形成された回動軸５４が嵌め込まれる。これにより、レバー５０は、回動軸５４を中心として回動可能とされている。側板部５１には、カム溝５５が形成されており、このカム溝５５には、相手側コネクタのコネクタハウジングに設けられたカムピンが挿入される。相手側コネクタのカムピンがレバー５０のカム溝５５の端部内に配置された状態から、把持部５２を把持してレバー５０を回動させると、カムピンとカム溝５５の係合によってコネクタ１のコネクタハウジング１０に相手側コネクタのコネクタハウジングが引き寄せられる。これにより、コネクタ１に対して相手側コネクタが低挿入力で接合される。このように、コネクタ１は、防水コネクタであるとともに、レバー５０の操作によって相手側コネクタを低挿入力（Ｌｏｗ  Ｉｎｓｅｒｔｉｏｎ  Ｆｏｒｃｅ）で接合させるＬＩＦコネクタである。
【００２１】
図２は、コネクタハウジング及び電線カバーの斜視図である。図３は、電線カバーを説明する図であって、図３（ａ）は、電線カバーの電線誘導部側から視た正面図、図３（ｂ）は、図３（ａ）におけるＡ−Ａ断面図である。図４は、図３（ａ）におけるＢ部拡大図である。図５は、コネクタハウジングの電線引出部の一部の拡大側面図である。
【００２２】
図２及び図３（ａ），図３（ｂ）に示すように、電線カバー８０は、樹脂からなる一体成形品であり、一対の側壁部８１と、これらの側壁部８１同士を連結する連結壁部８２とを有している。側壁部８１は、互いに対向位置に配置されており、連結壁部８２は、側壁部８１の一端側から側壁部８１の上方側を覆うように、他端側へ向かって延在され、さらに、側壁部８１の他端を越えて延在されている。そして、この電線カバー８０は、連結壁部８２で側壁部８１が連結された一端側に対して反対側の他端側が開放されており、この開放された部分が、電線誘導部８３とされている。コネクタハウジング１０から引き出された電線Ｗは、電線誘導部８３から束ねられて導出される。また、連結壁部８２には、側壁部８１の上方位置に、レバーロック部８４が設けられている。
【００２３】
電線カバー８０は、側壁部８１の縁部及び連結壁部８２の縁部が、組付け部８５とされており、この組付け部８５がコネクタハウジング１０に組み付けられる。
【００２４】
図４に示すように、電線カバー８０の組付け部８５は、側壁部８１の縁部側に、スライド面９１と、このスライド面９１の外縁からコネクタハウジング１０への組み付け方向へ突出する係合壁９２とを有している。また、係合壁９２には、その内側に、間隔をあけて複数の係止突起９３が形成されている。これらの係止突起９３とスライド面９１との間には、隙間Ｇが形成されている。係止突起９３には、コネクタハウジング１０への装着方向へ向かって次第に外側へ傾斜する係止ガイド面９４が形成されている。
【００２５】
また、係合壁９２における電線誘導部８３側の端部には、拾い部９７が形成されている。この拾い部９７は、コネクタハウジング１０への装着方向へ突出されており、その内面側には、コネクタハウジング１０への装着方向へ向かって次第に外側へ傾斜する摺動面９８が形成されている。この拾い部９７は、係止突起９３よりもコネクタハウジング１０への装着方向へ寸法Ｔだけ突出されている。
【００２６】
図３（ａ），図３（ｂ）に示すように、電線カバー８０の組付け部８５は、連結壁部８２の縁部に、コネクタハウジング１０への装着方向へ突出する当接部９９を有している。
【００２７】
図２に示すように、コネクタハウジング１０の筒壁部１４は、長辺部１４ａと短辺部１４ｂとを有する矩形状に形成されている。筒壁部１４は、その縁部が電線引出部１６とされており、この電線引出部１６に、電線カバー８０の組付け部８５が組み付けられる。図５に示すように、電線引出部１６には、長辺部１４ａ側に、外側へ突出する複数の係止リブ１０１が形成されている。これらの係止リブ１０１は、電線カバー８０の係止突起９３と同一ピッチで配置されている。
【００２８】
次に、コネクタハウジング１０の電線引出部１６に電線カバー８０を組み付ける場合について説明する。
【００２９】
図６は、電線カバーのコネクタハウジングへの組み付けについて説明する組み付け箇所の側面図である。図７は、歪みが生じた電線カバーのコネクタハウジングへの組み付けについて説明する組み付け箇所の側面図である。
【００３０】
図６に示すように、コネクタハウジング１０に対して、その後方側から、電線カバー８０の組付け部８５をコネクタハウジング１０へ向けて電線カバー８０を近接させる。このとき、組付け部８５の係止突起９３と係止リブ１０１とが干渉しないように、電線カバー８０をコネクタハウジング１０に対して、装着方向と直交する方向である電線誘導部８３の反対側へずらしておく。また、コネクタハウジング１０から引き出された電線Ｗは、束ねて電線カバー８０の電線誘導部８３へ配置させておく。
【００３１】
コネクタハウジング１０の電線引出部１６に電線カバー８０の組付け部８５を近接させると、電線カバー８０の係止突起９３が係止リブ１０１同士の間及び係止リブ１０１の側方を通って係止リブ１０１よりも装着方向前方側へ配置され、電線カバー８０のスライド面９１がコネクタハウジング１０の電線引出部１６の端面に当接される。ここで、係止突起９３には、その内側に、コネクタハウジング１０への装着方向へ向かって次第に外側へ傾斜する係止ガイド面９４が形成されているので、係止突起９３は、係止ガイド面９４が電線引出部１６の縁部に当接することで、電線引出部１６の外方側へ円滑に案内される。
【００３２】
電線カバー８０を、コネクタハウジング１０に対して、電線誘導部８３側へ向かって、当接部９９が電線引出部１６である筒壁部１４の短辺部１４ｂに当接するまでスライドさせる。すると、電線カバー８０の各係止突起９３とスライド面９１との隙間Ｇに係止リブ１０１が入り込むこととなり、各係止突起９３が係止リブ１０１を係止した状態となる。これにより、コネクタハウジング１０の電線引出部１６に電線カバー８０の組付け部８５が組み付けられ、電線引出部１６が覆われた状態となる。
【００３３】
そして、この電線カバー８０をコネクタハウジング１０に組み付けることで、コネクタハウジング１０から引き出された電線Ｗが電線カバー８０で覆われて保護されるとともに、その電線Ｗの束の導出方向が電線カバー８０によって電線誘導部８３側へ向かって所定方向へ導かれる。また、電線カバー８０を装着したコネクタ１に、レバー５０を回動させて相手側コネクタを接合させた際には、回動させたレバー５０の把持部５２が電線カバー８０のレバーロック部８４に係止される。これにより、レバー５０の逆方向への回動が規制され、コネクタ１と相手側コネクタとの接合状態が確実に維持される。
【００３４】
前述したように、電線カバー８０の組付け部８５の係止突起９３には、その内側に、コネクタハウジング１０への装着方向へ向かって次第に外側へ傾斜する係止ガイド面９４が形成されている。これにより、コネクタハウジング１０へ電線カバー８０を組み付ける際に、係止突起９３は、係止ガイド面９４が電線引出部１６の縁部に当接することで、電線引出部１６の外方側へ円滑に案内される。
【００３５】
ところで、樹脂の一体成形品である電線カバー８０は、成形時に歪みが生じることがある。特に、電線カバー８０は、電線誘導部８３で開放されているため、側壁部８１が内側へ傾くような歪みが生じる場合がある。この場合、電線カバー８０の歪みが小さければ、コネクタハウジング１０へ電線カバー８０を組み付ける際に、係止突起９３は、係止ガイド面９４が電線引出部１６の縁部に当接することで、電線引出部１６の外方側へ円滑に案内される。しかし、電線カバー８０の歪みが大きいと、コネクタハウジング１０へ電線カバー８０を組み付ける際に、係止突起９３の端面が電線引出部１６の端面に当接してしまい、コネクタハウジング１０へ電線カバー８０を円滑に装着できなくなることがある。
【００３６】
本実施形態に係るコネクタ１では、電線カバー８０に上記のような歪みが生じていると、図７に示すように、電線カバー８０をコネクタハウジング１０に組み付ける際に、係止突起９３の端面が電線引出部１６の端面に当接する前に、係止突起９３よりもコネクタハウジング１０への装着方向へ突出した拾い部９７の摺動面９８が、コネクタハウジング１０の一部である係止リブ１０１に接触して摺動する。すると、電線カバー８０の側壁部８１には、コネクタハウジング１０への組み付け力の分力が作用し、側壁部８１は、組み付け力の分力によって外側へ広げられる。その後は、係止突起９３の係止ガイド面９４が電線引出部１６の縁部に当接することで、電線引出部１６の外方側へ円滑に案内される。
【００３７】
このように、本実施形態に係るコネクタ１によれば、コネクタハウジング１０へ電線カバー８０を組み付ける際に、係止突起９３よりもコネクタハウジング１０への装着方向へ向かって突出された拾い部９７の摺動面９８がコネクタハウジング１０の電線引出部１６に当接することで、組付け部８５が外側へ変位される。したがって、電線カバー８０に歪みが生じていたとしても、係止突起９３がコネクタハウジング１０に突き当たることで組み付けが困難となるようなことがなく、コネクタハウジング１０に対して電線カバー８０を円滑に装着させることができる。これにより、電線カバー８０の組み付け作業性を向上させることができる。
【００３８】
しかも、電線誘導部８３を形成したことで、特に成形時の歪みの影響が生じやすい電線誘導部８３側の端部に拾い部９７を設けたので、コネクタハウジング１０に対して電線カバー８０を装着させる際に、拾い部９７によって効果的に電線カバー８０の歪みを矯正させることができる。
【００３９】
このように、本実施形態では、拾い部９７によって電線カバー８０の歪みが矯正されるので、電線カバー８０をスライドさせて係止突起９３を係止リブ１０１に係止させる際の電線Ｗの噛み込みを抑制することができ、電線Ｗの噛み込みによる電線Ｗや電線カバー８０などの部品の損傷を防止できる。したがって、電線カバー８０を組み付ける際の電線Ｗの噛み込みに対する作業者の注意にかかる負担を低減させることができる。
【００４０】
なお、電線カバー８０をコネクタハウジング１０へ組み付ける際には、拾い部９７が形成された電線誘導部８３側から組み付けるのが好ましい。このようにすると、拾い部９７が係止リブ１０１に接触することで、側壁部８１の間が広げられた後に、各係止突起９３がコネクタハウジング１０へ近接されることとなる。したがって、係止突起９３の端部の電線引出部１６の端面への当接をより確実に抑制できる。また、電線カバー８０をコネクタハウジング１０へ装着する際に、拾い部９７が形成された電線誘導部８３側から組み付けるようにすれば、コネクタハウジング１０から引き出された電線Ｗの束を電線誘導部８３から導出させた状態で、各係止突起９３をコネクタハウジング１０へ近接させることができる。したがって、スライド面９１と電線引出部１６の端面との間への電線Ｗの噛み込みを確実に抑制しつつ、電線カバー８０をコネクタハウジング１０へ装着させることができる。
【００４１】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４２】
ここで、上述した本発明に係るコネクタの実施形態の特徴をそれぞれ以下［１］〜［３］に簡潔に纏めて列記する。
【００４３】
［１］  電線（Ｗ）に接続された端子が収容される端子収容部（１５）を有するハウジング（１０）と、
前記ハウジング（１０）の前記電線（Ｗ）が引き出される電線引出部（１６）に組み付けられて前記電線（Ｗ）を覆う電線カバー（８０）と、
を備えたコネクタ（１）であって、
前記ハウジング（１０）には、前記電線引出部（１６）の周囲に、外方へ突出する係止リブ（１０１）が形成され、
前記電線カバー（８０）は、前記ハウジング（１０）への組み付け側の縁部が、前記電線引出部（１６）の周囲を囲う組付け部（８５）とされ、
前記組付け部（８５）は、内側へ突出して前記係止リブ（１０１）を係止する係止突起（９３）と、前記係止突起（９３）よりも前記ハウジング（１０）への装着方向へ向かって突出されるとともに前記ハウジング（１０）への装着方向へ向かって次第に外側へ傾斜する摺動面（９８）が形成された拾い部（９７）と、を備え、
前記ハウジング（１０）へ前記電線カバー（８０）を組み付ける際に、前記拾い部（９７）の前記摺動面（９８）が前記電線引出部（１６）に当接することで、前記組付け部（８５）が外側へ変位される
ことを特徴とするコネクタ（１）。
【００４４】
［２］  前記電線カバー（８０）には、前記ハウジング（１０）への組み付け側の縁部を含む一部に、前記電線（Ｗ）を導出させる電線誘導部（８３）が形成され、
前記拾い部（９７）は、前記電線誘導部（８３）側の端部に設けられている
ことを特徴とする上記［１］に記載のコネクタ（１）。
【００４５】
［３］  前記電線カバー（８０）は、前記ハウジング（１０）に対して前記電線誘導部（８３）と反対側にずれた状態で前記ハウジング（１０）へ近接され、前記係止突起（９３）が前記係止リブ（１０１）よりも装着方向前方側に配置された状態から前記ハウジング（１０）に対して前記電線誘導部（８３）側へスライドされることで、前記係止突起（９３）が前記係止リブ（１０１）を係止する位置に配置される
ことを特徴とする上記［２］に記載のコネクタ（１）。
【符号の説明】
【００４６】
１  コネクタ
１０  コネクタハウジング（ハウジング）
１５  端子収容部
１６  電線引出部
８０  電線カバー
８３  電線誘導部
８５  組付け部
９３  係止突起
９７  拾い部
９８  摺動面
１０１  係止リブ
Ｗ  電線
【図１】
2016225045.tif 000003
【図２】
2016225045.tif 000004
【図３】
2016225045.tif 000005
【図４】
2016225045.tif 000006
【図５】
2016225045.tif 000007
【図６】
2016225045.tif 000008
【図７】
2016225045.tif 000009